【手続補正書】
【提出日】平成24年4月9日(2012.4.9)
【手続補正１】
【補正対象書類名】特許請求の範囲
【補正対象項目名】全文
【補正方法】変更
【補正の内容】
【特許請求の範囲】
【請求項１】
ネットワークインターフェース装置を介してネットワークに接続され、当該ネットワーク上の外部装置と通信可能な情報処理装置であって、
前記情報処理装置が第１の電力モードで動作する場合に、前記情報処理装置に設定された時間間隔に基づいて、前記情報処理装置に関する情報を前記外部装置に登録する登録手段と、
前記情報処理装置が前記第１の電力モードよりも消費電力が小さい第２の電力モードで動作する場合において前記ネットワークインターフェース装置が前記情報処理装置に関する情報を前記外部装置に登録できるように、前記時間間隔を示す情報を前記ネットワークインターフェース装置に通知する通知手段とを備えることを特徴とする情報処理装置。
【請求項２】
前記外部装置はマスタブラウザサーバであることを特徴とする請求項１に記載の情報処理装置。
【請求項３】
前記通知手段は、前記情報処理装置が前記第１の電力モードから前記第２の電力モードに移行するための条件を満たした場合に、前記時間間隔を示す情報を前記ネットワークインターフェース装置に通知することを特徴とする請求項１又は２に記載の情報処理装置。
【請求項４】
ネットワークインターフェース装置を介してネットワークに接続され、当該ネットワーク上の外部装置と通信可能な情報処理装置であって、
前記外部装置のアドレス情報を蓄積する蓄積手段と、
前記情報処理装置が第１の電力モードで動作する場合に、前記アドレス情報に基づいて、前記情報処理装置に関する情報を前記外部装置に登録する登録手段と、
前記情報処理装置が前記第１の電力モードよりも消費電力が小さい第２の電力モードで動作する場合において前記ネットワークインターフェース装置が前記情報処理装置に関する情報を前記外部装置に登録できるように、前記アドレス情報を前記ネットワークインターフェース装置に通知する通知手段とを備えることを特徴とする情報処理装置。
【請求項５】
前記外部装置はＷＩＮＳサーバであることを特徴とする請求項４に記載の情報処理装置。
【請求項６】
前記通知手段は、前記情報処理装置が前記第１の電力モードから前記第２の電力モードに移行するための条件を満たした場合に、前記アドレス情報を前記ネットワークインターフェース装置に通知することを特徴とする請求項４又は５に記載の情報処理装置。
【請求項７】
前記通知手段は、前記情報処理装置に関する情報を更に前記ネットワークインターフェース装置に通知することを特徴とする請求項１乃至６のいずれか１項に記載の情報処理装置。
【請求項８】
前記情報処理装置に関する情報は少なくともＮｅｔＢＩＯＳ名を含むことを特徴とする請求項１乃至７のいずれか１項に記載の情報処理装置。
【請求項９】
情報処理装置に接続されるネットワークインターフェース装置であって、
前記情報処理装置が前記情報処理装置に関する情報を外部装置に登録する間隔を示す時間間隔を示す情報を、前記情報処理装置から取得する取得手段と、
前記情報処理装置が第１の電力モードよりも消費電力が小さい第２の電力モードで動作する場合に、前記時間間隔を示す情報に基づいて、前記情報処理装置に関する情報を前記外部装置に登録する登録手段とを備えることを特徴とするネットワークインターフェース装置。
【請求項１０】
前記外部装置はマスタブラウザサーバであることを特徴とする請求項９に記載のネットワークインターフェース装置。
【請求項１１】
前記時間間隔を示す情報に基づいて前記マスタブラウズサーバを検索する検索手段を更に備え、
前記登録手段は、前記検索手段によって検索された前記マスタブラウズサーバに前記情報処理装置に関する情報を登録することを特徴とする請求項１０に記載のネットワークインターフェース装置。
【請求項１２】
情報処理装置に接続されるネットワークインターフェース装置であって、
前記情報処理装置が前記情報処理装置に関する情報を外部装置に登録する際に必要な当該外部装置のアドレス情報を、前記情報処理装置から取得する取得手段と、
前記情報処理装置が第１の電力モードよりも消費電力が小さい第２の電力モードで動作する場合に、前記アドレス情報に基づいて、前記情報処理装置に関する情報を前記外部装置に登録する登録手段とを備えることを特徴とするネットワークインターフェース装置。
【請求項１３】
前記外部装置はＷＩＮＳサーバであることを特徴とする請求項１２に記載のネットワークインターフェース装置。
【請求項１４】
前記取得手段は、前記情報処理装置に関する情報を更に前記情報処理装置から取得することを特徴とする請求項９乃至１３のいずれか１項に記載のネットワークインターフェース装置。
【請求項１５】
前記情報処理装置に関する情報は少なくともＮｅｔＢＩＯＳ名を含むことを特徴とする請求項９乃至１４のいずれか１項に記載のネットワークインターフェース装置。
【請求項１６】
情報処理装置とネットワークインターフェース装置を含む情報処理システムであって、
前記情報処理装置は、
前記情報処理システムが第１の電力モードで動作する場合に、前記情報処理装置に設定された時間間隔に基づいて、前記情報処理装置に関する情報を外部装置に登録する第１の登録手段と、
前記時間間隔を示す情報を前記ネットワークインターフェース装置に通知する通知手段とを備え、
前記ネットワークインターフェース装置は、
前記情報処理システムが前記第１の電力モードよりも消費電力が小さい第２の電力モードで動作する場合に、前記通知手段によって通知された前記時間間隔を示す情報に基づいて、前記情報処理装置に関する情報を前記外部装置に登録する第２の登録手段を備えることを特徴とする情報処理システム。
【請求項１７】
前記外部装置はマスタブラウザサーバであることを特徴とする請求項１６に記載の情報処理システム。
【請求項１８】
前記ネットワークインターフェース装置は、
前記通知手段によって通知された前記時間間隔を示す情報に基づいて前記マスタブラウズサーバを検索する検索手段を更に備え、
前記第２の登録手段は、前記検索手段によって検索された前記マスタブラウズサーバに前記情報処理装置に関する情報を登録することを特徴とする請求項１７に記載の情報処理システム。
【請求項１９】
前記通知手段は、前記情報処理システムが前記第１の電力モードから前記第２の電力モードに移行するための条件を満たした場合に、前記時間間隔を示す情報を前記ネットワークインターフェース装置に通知することを特徴とする請求項１６乃至１８のいずれか１項に記載の情報処理システム。
【請求項２０】
情報処理装置とネットワークインターフェース装置を含む情報処理システムであって、
前記情報処理装置は、
外部装置のアドレス情報を蓄積する蓄積手段と、
前記情報処理システムが第１の電力モードで動作する場合に、前記アドレス情報に基づいて、前記情報処理装置に関する情報を外部装置に登録する第１の登録手段と、
前記アドレス情報を前記ネットワークインターフェース装置に通知する通知手段とを備え、
前記ネットワークインターフェース装置は、
前記情報処理システムが前記第１の電力モードよりも消費電力が小さい第２の電力モードで動作する場合に、前記通知手段によって通知された前記アドレス情報に基づいて、前記情報処理装置に関する情報を前記外部装置に登録する第２の登録手段を備えることを特徴とする情報処理システム。
【請求項２１】
前記外部装置はＷＩＮＳサーバであることを特徴とする請求項２０に記載の情報処理システム。
【請求項２２】
前記通知手段は、前記情報処理システムが前記第１の電力モードから前記第２の電力モードに移行するための条件を満たした場合に、前記アドレス情報を前記ネットワークインターフェース装置に通知することを特徴とする請求項２０又は２１に記載の情報処理システム。
【請求項２３】
前記通知手段は、前記情報処理装置に関する情報を更に前記ネットワークインターフェース装置に通知することを特徴とする請求項１６乃至２２のいずれか１項に記載の情報処理システム。
【請求項２４】
前記情報処理装置に関する情報は少なくともＮｅｔＢＩＯＳ名を含むことを特徴とする請求項１６乃至２３のいずれか１項に記載の情報処理システム。
【請求項２５】
ネットワークインターフェース装置を介してネットワークに接続され、当該ネットワーク上の外部装置と通信可能な情報処理装置の制御方法であって、
前記情報処理装置が第１の電力モードで動作する場合に、前記情報処理装置に設定された時間間隔に基づいて、前記情報処理装置に関する情報を前記外部装置に登録する登録ステップと、
前記情報処理装置が前記第１の電力モードよりも消費電力が小さい第２の電力モードで動作する場合において前記ネットワークインターフェース装置が前記情報処理装置に関する情報を前記外部装置に登録できるように、前記時間間隔を示す情報を前記ネットワークインターフェース装置に通知する通知ステップとを有することを特徴とする情報処理装置の制御方法。
【請求項２６】
ネットワークインターフェース装置を介してネットワークに接続され、当該ネットワーク上の外部装置と通信可能な情報処理装置の制御方法であって、
前記外部装置のアドレス情報を蓄積する蓄積ステップと、
前記情報処理装置が第１の電力モードで動作する場合に、前記アドレス情報に基づいて、前記情報処理装置に関する情報を前記外部装置に登録する登録ステップと、
前記情報処理装置が前記第１の電力モードよりも消費電力が小さい第２の電力モードで動作する場合において前記ネットワークインターフェース装置が前記情報処理装置に関する情報を前記外部装置に登録できるように、前記アドレス情報を前記ネットワークインターフェース装置に通知する通知ステップとを有することを特徴とする情報処理装置の制御方法。
【請求項２７】
請求項２５又は２６に記載の情報処理装置の制御方法をコンピュータに実行させるためのプログラム。
【請求項２８】
情報処理装置に接続されるネットワークインターフェース装置の制御方法であって、
前記情報処理装置が前記情報処理装置に関する情報を外部装置に登録する間隔を示す時間間隔を示す情報を、前記情報処理装置から取得する取得ステップと、
前記情報処理装置が第１の電力モードよりも消費電力が小さい第２の電力モードで動作する場合に、前記時間間隔を示す情報に基づいて、前記情報処理装置に関する情報を前記外部装置に登録する登録ステップとを有することを特徴とするネットワークインターフェース装置の制御方法。
【請求項２９】
情報処理装置に接続されるネットワークインターフェース装置であって、
前記情報処理装置が前記情報処理装置に関する情報を外部装置に登録する際に必要な当該外部装置のアドレス情報を、前記情報処理装置から取得する取得ステップと、
前記情報処理装置が第１の電力モードよりも消費電力が小さい第２の電力モードで動作する場合に、前記アドレス情報に基づいて、前記情報処理装置に関する情報を前記外部装置に登録する登録ステップとを有することを特徴とするネットワークインターフェース装置の制御方法。
【請求項３０】
請求項２８又は２９に記載のネットワークインターフェース装置の制御方法をコンピュータに実行させるためのプログラム。
【手続補正２】
【補正対象書類名】明細書
【補正対象項目名】発明の名称
【補正方法】変更
【補正の内容】
【発明の名称】情報処理装置、ネットワークインターフェース装置、それらの制御方法、プログラム、及び情報処理システム
【手続補正３】
【補正対象書類名】明細書
【補正対象項目名】００１６
【補正方法】変更
【補正の内容】
【００１６】
上記目的を達成するために、本発明の情報処理装置は、ネットワークインターフェース装置を介してネットワークに接続され、当該ネットワーク上の外部装置と通信可能な情報処理装置であって、前記情報処理装置が第１の電力モードで動作する場合に、前記情報処理装置に設定された時間間隔に基づいて、前記情報処理装置に関する情報を前記外部装置に登録する登録手段と、前記情報処理装置が前記第１の電力モードよりも消費電力が小さい第２の電力モードで動作する場合において前記ネットワークインターフェース装置が前記情報処理装置に関する情報を前記外部装置に登録できるように、前記時間間隔を示す情報を前記ネットワークインターフェース装置に通知する通知手段とを備えることを特徴とする。
また、本発明の情報処理装置は、ネットワークインターフェース装置を介してネットワークに接続され、当該ネットワーク上の外部装置と通信可能な情報処理装置であって、前記外部装置のアドレス情報を蓄積する蓄積手段と、前記情報処理装置が第１の電力モードで動作する場合に、前記アドレス情報に基づいて、前記情報処理装置に関する情報を前記外部装置に登録する登録手段と、前記情報処理装置が前記第１の電力モードよりも消費電力が小さい第２の電力モードで動作する場合において前記ネットワークインターフェース装置が前記情報処理装置に関する情報を前記外部装置に登録できるように、前記アドレス情報を前記ネットワークインターフェース装置に通知する通知手段とを備えることを特徴とする。
【手続補正４】
【補正対象書類名】明細書
【補正対象項目名】００１７
【補正方法】変更
【補正の内容】
【００１７】
また、上記目的を達成するために、本発明のネットワークインターフェース装置は、情報処理装置に接続されるネットワークインターフェース装置であって、前記情報処理装置が前記情報処理装置に関する情報を外部装置に登録する間隔を示す時間間隔を示す情報を、前記情報処理装置から取得する取得手段と、前記情報処理装置が第１の電力モードよりも消費電力が小さい第２の電力モードで動作する場合に、前記時間間隔を示す情報に基づいて、前記情報処理装置に関する情報を前記外部装置に登録する登録手段とを備えることを特徴とする。
また、本発明のネットワークインターフェース装置は、情報処理装置に接続されるネットワークインターフェース装置であって、前記情報処理装置が前記情報処理装置に関する情報を外部装置に登録する際に必要な当該外部装置のアドレス情報を、前記情報処理装置から取得する取得手段と、前記情報処理装置が第１の電力モードよりも消費電力が小さい第２の電力モードで動作する場合に、前記アドレス情報に基づいて、前記情報処理装置に関する情報を前記外部装置に登録する登録手段とを備えることを特徴とする。
また、本発明の情報処理システムは、情報処理装置とネットワークインターフェース装置を含む情報処理システムであって、前記情報処理装置は、前記情報処理システムが第１の電力モードで動作する場合に、前記情報処理装置に設定された時間間隔に基づいて、前記情報処理装置に関する情報を外部装置に登録する第１の登録手段と、前記時間間隔を示す情報を前記ネットワークインターフェース装置に通知する通知手段とを備え、前記ネットワークインターフェース装置は、前記情報処理システムが前記第１の電力モードよりも消費電力が小さい第２の電力モードで動作する場合に、前記通知手段によって通知された前記時間間隔を示す情報に基づいて、前記情報処理装置に関する情報を前記外部装置に登録する第２の登録手段を備えることを特徴とする。
また、本発明の情報処理システムは、情報処理装置とネットワークインターフェース装置を含む情報処理システムであって、前記情報処理装置は、外部装置のアドレス情報を蓄積する蓄積手段と、前記情報処理システムが第１の電力モードで動作する場合に、前記アドレス情報に基づいて、前記情報処理装置に関する情報を外部装置に登録する第１の登録手段と、前記アドレス情報を前記ネットワークインターフェース装置に通知する通知手段とを備え、前記ネットワークインターフェース装置は、前記情報処理システムが前記第１の電力モードよりも消費電力が小さい第２の電力モードで動作する場合に、前記通知手段によって通知された前記アドレス情報に基づいて、前記情報処理装置に関する情報を前記外部装置に登録する第２の登録手段を備えることを特徴とする。